(57)【特許請求の範囲】
【請求項１】
出目の内容が変更可能であり、且つ、バランスを変化させることによって、出目をコントロールしながらゲームを行う際に使用する組立さいころであって、
第１開口部と第２開口部とを有する四角筒状の第１角筒体の筒体内に、同じく第１開口部と第２開口部とを有する四角筒状の第２角筒体を挿入し、第１角筒体の第１開口部と第２開口部とを第２角筒体で閉塞するとともに、第２角筒体の第１開口部と第２開口部とを第１角筒体で閉塞することにより形成した多面体と、表面に采の目が描かれ背面に粘着層が設けられた複数枚の采の目シート体とがそれぞれ別体とされ、必要に応じて適宜選択した前記采の目シート体を前記多面体の平面に着脱可能に構成し、前記采の目シート体の表面にコーティング層を設けて前記多面体の平面に着設した采の目シート体の表面にさらに采の目シート体を積重させて着設可能及び剥離可能に構成すると共に、前記多面体の平面は、各角部分を角丸状としたことを特徴とする組立さいころ。
【請求項２】
第１角筒体及び／または第２角筒体は、第１平面と、第２平面と、第３平面と、第４平面とをこの順に一方向に並べて連結するとともに、第１平面に第１連結片を突設するとともに、第４平面に第２連結片を突設し、さらに、第１平面と第１連結片との連結部分に第１係着スリットを設けるとともに、第４平面と第２連結片との連結部分にも第２係着スリットを設け、第１連結片を第１平面に対して略９０°に折り曲げるとともに第２連結片を第４平面に対して略９０°に折り曲げ、さらに全体を四角筒状となるように折り曲げて第１連結片を第４平面の裏面側に重合させるとともに第２連結片を第１平面の裏面側に重合させながら第１係着スリットと第２係着スリットとを係合させることにより形成していることを特徴とする請求項１記載の組立さいころ。
【発明の詳細な説明】
【０００１】
【発明の属する技術分野】
本発明は、パーティーやコンパの席においてみんなで楽しむことができるゲームの道具となるさいころを提供するものである。
【０００２】
【従来の技術】
従来、パーティーやコンパの席においては、みんなでワイワイと楽しむ一つの方法として様々なゲームが行なわれている。
【０００３】
このようなゲームの一つとして、六面体の各面に様々なテーマをあらかじめ記載したさいころを振って、出た目のテーマの話をしたり、あるいは、様々なアクションの指示、たとえば、「歌を歌う」とか、「ダンスをする」とかの指示をあらかじめ記載したさいころを振って、出た目のアクションの指示にしたがって歌を歌ったりダンスをしたりするなどしたりすることにより、場を盛り上げて楽しむことが行なわれている。
【０００４】
【発明が解決しようとする課題】
しかしながら上記のさいころは、あらかじめ６面にそれぞれ所用の記載が行なわれているものであり、６通りの出目しかないためにすぐに新鮮みが薄れることとなって、あっという間に飽きてしまうという問題があった。ここで「出目」とはさいころの各面に表示されている表示のことである。
【０００５】
そのため、項目を変えるためには別のさいころを用意しておかねばならず、そのうえ場の雰囲気に合わせた選択をすることができるように、出目の内容の異なる複数のさいころをあらかじめ用意しておく必要があるという問題があった。
【０００６】
また、複数のさいころを用意しておいたとしても、その場の雰囲気にぴったりと合った内容のものとすることが困難な場合があり、場の雰囲気を盛り上げる道具としては不完全なものとなっていた。
【０００７】
【課題を解決するための手段】
上記の問題点を解決するために、本発明では、出目の内容が変更可能であり、且つ、バランスを変化させることによって、出目をコントロールしながらゲームを行う際に使用する組立さいころであって、第１開口部と第２開口部とを有する四角筒状の第１角筒体の筒体内に、同じく第１開口部と第２開口部とを有する四角筒状の第２角筒体を挿入し、第１角筒体の第１開口部と第２開口部とを第２角筒体で閉塞するとともに、第２角筒体の第１開口部と第２開口部とを第１角筒体で閉塞することにより形成した多面体と、表面に采の目が描かれ背面に粘着層が設けられた複数枚の采の目シート体とがそれぞれ別体とされ、必要に応じて適宜選択した前記采の目シート体を前記多面体の平面に着脱可能に構成し、前記采の目シート体の表面にコーティング層を設けて前記多面体の平面に着設した采の目シート体の表面にさらに采の目シート体を積重させて着設可能及び剥離可能に構成すると共に、前記多面体の平面は、各角部分を角丸状とした。
【０００８】
また、第１角筒体及び／または第２角筒体は、第１平面と、第２平面と、第３平面と、第４平面とをこの順に一方向に並べて連結するとともに、第１平面に第１連結片を突設するとともに、第４平面に第２連結片を突設し、さらに、第１平面と第１連結片との連結部分に第１係着スリットを設けるとともに、第４平面と第２連結片との連結部分にも第２係着スリットを設け、第１連結片を第１平面に対して略９０°に折り曲げるとともに第２連結片を第４平面に対して略９０°に折り曲げ、さらに全体を四角筒状となるように折り曲げて第１連結片を第４平面の裏面側に重合させるとともに第２連結片を第１平面の裏面側に重合させながら第１係着スリットと第２係着スリットとを係合させることにより形成している点にも特徴を有しているものである。
【０００９】
【発明の実施の形態】
本発明のさいころは、さいころの本体となる多面体と、さいころの采の目を描いている采の目シート体とをそれぞれ別体としておき、しかもさまざまなシチュエーションを想定した多彩な内容の采の目シート体をあらかじめ用意しておき、必要に応じて適宜の采の目シート体を選択して多面体に着設して使用することができるようにしているものである。
【００１０】
従って、さいころを用いたゲームを行なう場の雰囲気に最も合った采の目シート体を選択して多面体に着設することにより、その場に最もふさわしいさいころを簡単に作成して使用することができる。
【００１１】
以下において、図面に基づいて実施例を示しながら詳説する。なお、以下において説明するさいころは、６面の平面からなる略立方体の多面体としたさいころとしているが、略立方体に限定するものではなく、正１２面体や正２４面体などの多面体からなるさいころとなるようにしてもよい。
【００１２】
【実施例】
図１は、采の目シート体１の一例であり、複数枚の采の目シート体１（本実施例では１２枚）を１枚の台紙用シート２に並べて設けているものである。各采の目シート体１には、たとえば「合コン用」とか、「披露宴会場用」、あるいは、「婦人会用」、「老人会用」、「子供会用」、「懇親会用」、「カラオケ用」など様々な状況を想定して、それぞれにおいてふさわしいと思われるアクションの指示をイラストで示している。あるいは、イラストではなく、文字によってアクションの指示をするようにしたものであってもよい。または、単なるキーワードや記号・符号・図形などであってもよい。
【００１３】
さらに、采の目シート体１は背面に粘着層を設けたシールとし、台紙用シート２はシール台紙として采の目シート体１を同台紙用シート２に着脱自在とし、台紙用シート２から適宜の采の目シート体１は剥がして使用するようにしている。
【００１４】
さいころの本体となる多面体３は、図２（ａ）に示すように、同多面体３を平面状に展開した形状となっている平面展開体４の状態で提供するようにしており、特に本実施例の場合、略矩形とした厚紙からなるさいころ用台紙５に平面展開体４の外周形状に合わせてミシン目６を設け、同ミシン目６に沿って切離を行なうことによりさいころ用台紙５から平面展開体４を切り出すことができるようにしている（図２（ｂ））。
【００１５】
平面展開体４は、多面体３を構成する複数枚の平面７（本実施例では６枚）により構成されるとともに、所用の位置に糊代８を設けている。そして、各平面７どうしの連結部分、及び、平面７と糊代８との連結部分においてそれぞれを折り曲げ、糊代８を所用の平面７の裏面側に着設することにより、図２（ｃ）に示すような多面体３を形成することができるようにしている。
【００１６】
なお、糊代８部分にはあらかじめ接着手段として両面テープを配設しておいたり、あるいは水で湿らすことにより粘着性を発揮する粘着糊を塗布しておいたりすることにより、簡単に多面体３を組立てることができるようにしている。
【００１７】
組立てられた多面体３の各平面７に、台紙用シート２から場の雰囲気に合った采の目シート体１を選択して貼り付けることにより、図２（ｄ）に示すようなオリジナルなさいころを簡単に作成することができる。
【００１８】
なお、采の目シート体１は必ずしも平面展開体４を多面体３に組立てた後に着設する場合に限定するものではなく、平面展開体４の状態において采の目シート体１の着設を行なってもよい。平面展開体４の状態で采の目シート体１の着設を行なう方が、采の目シート体１のきれいな着設を行なうことができるので、できあがったさいころの見栄えをよくすることができる。
【００１９】
また、各平面７は各角部分を角丸状とし、同平面７によって構成される多面体３からなるさいころを、より転がりやすくするとともに、厚紙製のさいころに型くずれを生起しにくくし、使用にともなって見栄えが悪くなっていくことを防止するようにしている。
【００２０】
さらに、各平面７の表面にはコーティング層を設けており、采の目シート体１を平面７に対して着脱自在とするようにしている。すなわち、ある程度さいころを使用することにより出目の内容がパターン化して新鮮みがなくなったところで、既に着設されている采の目シート体１を別の采の目シート体１に貼り替えることにより、容易に新鮮みを取り戻すことができ、長時間楽しむことができる。
【００２１】
また、采の目シート体１自体にも、采の目シート体１どうしを着脱自在に重ね貼りすることができるように表面にコーティング層を設けており、平面７に着設された采の目シート体１をいちいち貼り替えるのではなく、平面７に着設された采の目シート体１の上面にさらに他の采の目シート体１を積重させるようにして出目の内容を変えるようにしてもよい。
【００２２】
この場合、積重させた采の目シート体１自体がおもりとなることによって、さいころのバランスを意図的に変えることもでき、ある程度の出目のコントロールを行なうことができることによる楽しみ方を行なうこともができる。
【００２３】
さらには、図３に示すように、あらかじめ各平面７に複数枚の采の目シート体１を積重させて着設しておき、出た目の采の目シート体１をその都度剥がしながら使用するようにすることにより、出目の内容が常に変化し続けるようにすることもできる。また、采の目シート体１を逐次剥がしていくことにより、さいころのバランスをその都度変化させることができ、より多彩な楽しみ方を行なうことができる。
【００２４】
多面体３は、図２に示すように、本実施例では略立方体としているが、図４（ａ）に示すように、組立てた際に対向することになる一組の対向平面における一方の平面を他方の平面よりも一回り小さくした小サイズ平面7a'とし、同小サイズ平面7a'と対向する平面を大サイズ平面7b'とし、小サイズ平面7a'と大サイズ平面7b'とを４枚の台形平面7c'で連結することにより、図４（ｂ）に示すように、先細り状の多面体3'として、出目に明らかな偏りが生じるようにしてもよい。
符号8'は糊代である。あるいは、そのほかにも出目に偏りを生じさせる適宜の形状としたさいころとしてもよい。
【００２５】
また、多面体３は、同多面体３を平面状に展開した形状としている平面展開体４から形成するのではなく、図５に示すように、四角筒状に形成した第１角筒体10と、同第１角筒体10と同様に四角筒状に形成した第２角筒体20とを用い、図６に示すように第１角筒体10の第１開口部10aまたは第２開口部10bから同第１角筒体10の筒体内に第２角筒体20を挿入し、第１角筒体10の第１開口部10a及び第２開口部10bを第２角筒体20で閉塞するとともに、第２角筒体20の第１開口部20a及び第２開口部20bを第１角筒体10で閉塞することにより多面体3"を形成するようにしてもよい。
【００２６】
第１角筒体10及び第２角筒体20は、それぞれ略同形の角丸矩形平面とした第１平面11,21と、第２平面12,22と、第３平面13,23と、第４平面14,24と筒状に組み合わせることにより構成するようにしており、図示していないが各平面に采の目シート体１を着設するようにしている。なお、各平面の表面にはコーティング層を設けており、采の目シート体１を平面に対して着脱自在とするようにしている。
【００２７】
第１角筒体10及び第２角筒体20を厚紙製としておくことにより、第１角筒体10と第２角筒体20とを略同一な寸法としておいても、第２角筒体20を構成する各平面を若干撓ませることによって容易に第１角筒体10の筒体内に挿入することができるとともに、第１角筒体10と第２角筒体20との少なくとも２つの平面が重合状態となるので、十分な強度を生じさせることができる。
【００２８】
図６に示すように、第１角筒体10の筒体内に第２角筒体20を挿入することにより、第１角筒体10の第１開口部10aを第２角筒体20の第４平面24で閉塞するとともに、第１角筒体10の第２開口部10bを第２角筒体20の第２平面22で閉塞して、第１角筒体10の第１平面11、第２平面12、第３平面13、第４平面14と、第２角筒体20の第２平面22、第４平面24とからなる多面体3"を形成することができる。
【００２９】
このとき、図７に示すように、第２角筒体20の第１平面21は、第１角筒体10の第１平面11の裏面側に当接されて重合されることにより露出することはなく、また、第２角筒体20の第３平面23も、第１角筒体10の第３平面13の裏面側に当接されて重合されることにより露出することはない。
【００３０】
しかし、第２角筒体20を周方向に９０°回転させて第１角筒体10の筒体内に挿入することにより、第１角筒体10の第１開口部10aを第２角筒体20の第３平面23で閉塞するとともに、第１角筒体10の第２開口部10bを第２角筒体20の第１平面21で閉塞することによって、第２角筒体20の第１平面21と第３平面23とを露出させ、第２平面22と第４平面24とを非露出状態とすることができ、さいころの出目の内容を簡単に変更することができる。
【００３１】
さらには、第１角筒体10と第２角筒体20とを逆にして、第２角筒体20の筒体内に第１角筒体10を挿入してさいころとすることによっても、露出する平面と、非露出状態となる平面とを切り換えることができ、出目の内容を簡単に変更することができる。すなわち、さいころがあたかも第１角筒体10の４面と、第２角筒体20の４面の計８面とすることができ、同８面の中から６面を必要に応じて選択してさいころとすることができる。
【００３２】
さらに、第１角筒体10及び第２角筒体20と同形状とした第３角筒体（図示せず）を準備し、第１角筒体10と第２角筒体20とによって構成された多面体3"を第３角筒体の筒体内に挿入することにより、第１角筒体10と第２角筒体20とによって構成された多面体3"を構造的に補強することができるとともに、一度に４面の出目の内容を変更することができる。
【００３３】
すなわち、第１角筒体10の４面と、第２角筒体20の４面と、第３角筒体の４面の計１２面からなる平面に着設された采の目シート体１の組み合わせから、６面を選択してさいころとすることができるとともに、必要に応じて第１角筒体10と、第２角筒体20と、第３角筒体との組み合わせを変えるだけで、出目の内容の異なるさいころをすぐに組立てることができる。
【００３４】
なお、第１角筒体10、第２角筒体20、第３角筒体は次のようにして形成している。以下では、第１角筒体10を代表例として説明するが第２角筒体20及び第３角筒体も同様に形成している。
【００３５】
まず、第１角筒体10は、図８に示すように、第１平面11と、第２平面12と、第３平面13と、第４平面14とをこの順に一方向に並べて連結した平面展開体10'の状態で提供されるようにしている。
【００３６】
特に、平面展開体10'において、第１平面11には、第２平面12とは反対側の端面に第１連結片15aを突設しており、かつ、第１平面11と第１連結片15aとの連結部分に第１係着スリット16aによる切り欠きを設けるようにしている。
【００３７】
さらに、平面展開体10'において、第４平面14には、第３平面13とは反対側の端面に第２連結片15bを突設しており、かつ、第４平面14と第２連結片15bとの連結部分に第２係着スリット16bによる切り欠きを設けるようにしている。
【００３８】
なお、第１係着スリット16aと第２係着スリット16bの切り欠きの方向は互いに逆方向となるようにしている。
【００３９】
上記の平面展開体10'を、図９（ａ）に示すように、第１平面11と第２平面12との連結部分、第２平面12と第３平面13との連結部分、第３平面13と第４平面14との連結部分でそれぞれ略９０°に折り曲げて全体を四角筒状とするとともに、第１連結片15aとの連結部分、及び、第４平面14と第２連結片15bとの連結部分においても略９０°に折り曲げ、次いで、図９（ｂ）に示すように、第１係着スリット16aと第２係着スリット16bとを対向させ、第１連結片15aを第４平面14の裏面側に重合させるとともに第２連結片15bを第１平面11の裏面側に重合させながら第１係着スリッ16aトと第２係着スリット16bとを互いに係合させることにより、図９（ｃ）に示すように、第１角筒体10を形成するようにしている。
【００４０】
従って、糊や両面テープなどの接着手段を用いることなく第１角筒体10、第２角筒体20、第３角筒体を形成してさいころを組立てることができ、いつでもどこでもさいころを提供することができる。
【００４１】
なお、平面展開体10'はどちらの面が表となってもよく、第１平面11と、第２平面12と、第３平面13と、第４平面14の両面にそれぞれ適宜の采の目シート体１を着設しておき、平面展開体10'のどちらかの面が表となるように第１連結片15aの第１係着スリット16aと、第２連結片15bの第２係着スリット16bとの係合を行ない、必要に応じて表裏を反転させて係合を行なうことにより、容易に出目の内容を変更することができる。
【００４２】
【発明の効果】
請求項１記載の発明によれば、出目の内容が変更可能であり、且つ、バランスを変化させることによって、出目をコントロールしながらゲームを行う際に使用する組立さいころであって、第１開口部と第２開口部とを有する四角筒状の第１角筒体の筒体内に、同じく第１開口部と第２開口部とを有する四角筒状の第２角筒体を挿入し、第１角筒体の第１開口部と第２開口部とを第２角筒体で閉塞するとともに、第２角筒体の第１開口部と第２開口部とを第１角筒体で閉塞することにより形成した多面体と、表面に采の目が描かれ背面に粘着層が設けられた複数枚の采の目シート体とがそれぞれ別体とされ、必要に応じて適宜選択した前記采の目シート体を前記多面体の平面に着脱可能に構成し、前記采の目シート体の表面にコーティング層を設けて前記多面体の平面に着設した采の目シート体の表面にさらに采の目シート体を積重させて着設可能及び剥離可能に構成すると共に、前記多面体の平面は、各角部分を角丸状としたことによって、目的に応じたさいころをすぐに作成して使用することができる。特に、パーティーやコンパの席でのゲームに用いる場合、あらかじめ用意された複数の采の目シート体の中から、場の雰囲気にあった采の目シートを選択して使用することができ、場の雰囲気にぴったりと当てはまるさいころをその場で作成することができるので、場の雰囲気をより盛り上げることができる。また、采の目シート体を多面体の平面に対して着脱自在としていることによって、一度選択した采の目シート体を別の采の目シート体に変更することができ、状況に応じてさいころの出目の内容を変更することができるので、すぐに飽きが生じることを防止することができ、長時間楽しむことができる。また、采の目シート体を多面体の平面に対して着脱自在としているとともに、多面体の平面に着設した采の目シート体の上面にさらに采の目シート体を積重させて着設可能及び剥離可能としていることによって、采の目シート体の上にさらに別の采の目シート体を着設して使用することができるので、様々な形態の遊び方を行なうことができる。特に、采の目シート体を積重させて着設することによりさいころ自体に重さの不均一を生じさせることができ、目の出方に差を付けることができるので、恣意的なさいころとすることができ、くだけた場におけるゲーム性を高めることができる。また、多面体を、第１開口部と第２開口部とを有する四角筒状の第１角筒体の筒体内に、同じく第１開口部と第２開口部とを有する四角筒状の第２角筒体を挿入し、第１角筒体の第１開口部と第２開口部とを第２角筒体で閉塞するとともに、第２角筒体の第１開口部と第２開口部とを第１角筒体で閉塞することにより形成するようにしていることによって、きわめて簡単に多面体を形成することができる。そのうえ、反対に第２角筒体の上下連通中空部内に第２角筒体を挿入することによって、第１角筒体によって被覆されていた第２角筒体の２つの平面を露出させるとともに、第１角筒体の２つの平面を第２角筒体によって被覆することができ、簡単にさいころの出目の内容を変更することができる。
【００４７】
請求項２記載の発明によれば、第１角筒体及び／または第２角筒体は、第１平面と、第２平面と、第３平面と、第４平面とをこの順に一方向に並べて連結するとともに、第１平面に第１連結片を突設するとともに、第４平面に第２連結片を突設し、さらに、第１平面と第１連結片との連結部分に第１係着スリットを設けるとともに、第４平面と第２連結片との連結部分にも第２係着スリットを設け、第１連結片を第１平面に対して略９０°に折り曲げるとともに第２連結片を第４平面に対して略９０°に折り曲げ、さらに全体を四角筒状となるように折り曲げて第１連結片を第４平面の裏面側に重合させるとともに第２連結片を第１平面の裏面側に重合させながら第１係着スリットと第２係着スリットとを係合させることにより形成していることによって、糊や両面テープなどの接着手段を用いることなく、いつでもどこでもさいころを組立てることができる。
【図面の簡単な説明】
【図１】采の目シート体を配設している台紙用シートの説明図である。
【図２】本発明に係るさいころの組立て方法の説明図である。
【図３】他の実施例のさいころの説明図である。
【図４】他の実施例の多面体の説明図である。
【図５】他の実施例の多面体の組立方法を説明する説明図である。
【図６】他の実施例の多面体の組立方法を説明する説明図である。
【図７】他の実施例のさいころの説明図である。
【図８】第１角筒体の組立方法を説明する説明図である。
【図９】第１角筒体の組立方法を説明する説明図である。
【符号の説明】
１  采の目シート体
３  多面体
４  平面展開体
５  さいころ用台紙
６  ミシン目
７  平面
８  糊代
10  第１角筒体
10a 第１開口部
10b 第２開口部
20  第２角筒体
20a 第１開口部
20b 第２開口部
【図１】
0004567248.tif 000002
【図２】
0004567248.tif 000003
【図３】
0004567248.tif 000004
【図４】
0004567248.tif 000005
【図５】
0004567248.tif 000006
【図６】
0004567248.tif 000007
【図７】
0004567248.tif 000008
【図８】
0004567248.tif 000009
【図９】
0004567248.tif 000010